(57)【特許請求の範囲】
【請求項１】
紙幣挿入口と、該紙幣挿入口の下方において前方へ突設されて紙幣下面をガイドする紙幣ガイド皿と、該紙幣ガイド皿の下流に連設されて前記紙幣挿入口から挿入された紙幣を後方へ搬入したり前記紙幣挿入口へ逆搬送する正逆搬送機構と、を備えた紙幣ガイド装置に装備される前記紙幣ガイド皿であって、
前記紙幣挿入口に挿入される紙幣の下面をガイドする底部ガイド面を備えた底部ガイド部材と、該底部ガイド面の横方向両端から夫々立ち上げられ、且つ着脱自在に構成されて挿入される該紙幣の両端縁をガイドする側部ガイド部材と、を有し、
前記側部ガイド部材は、下部材と上部材とから構成され、
前記各側部ガイド部材には夫々前記正逆搬送機構により逆搬送されてくる逆搬送紙幣の位置がずれている場合に該逆搬送紙幣の横方向端縁を受け入れる受入れ口と前記底部ガイド面よりも上方にて開口する排出口とを備えた逆搬送紙幣ガイド溝が、前記下部材の上面と前記上部材の下面との間のギャップにより形成されていることを特徴とする紙幣ガイド皿。
【請求項２】
前記側部ガイド部材を交換することにより、前記各側部ガイド部材の対向面間の間隔を調整可能に構成したことを特徴とする請求項１に記載の紙幣ガイド皿。
【請求項３】
前記底部ガイド面の幅方向両側縁に沿って夫々装着凹所を設け、該各装着凹所内に前記各側部ガイド部材の底部を嵌合させることにより、該各側部ガイド部材を位置決めしたことを特徴とする請求項２に記載の紙幣ガイド皿。
【請求項４】
紙幣挿入口と、該紙幣挿入口の下方において前方へ突設されて紙幣をガイドする紙幣ガイド皿と、該紙幣ガイド皿の下流に連設されて前記紙幣挿入口から挿入された紙幣を後方へ搬入したり前記紙幣挿入口へ逆搬送する正逆搬送機構と、を備えた紙幣ガイド装置であって、
前記紙幣ガイド皿は、前記紙幣挿入口に挿入される紙幣の下面をガイドする底部ガイド面を備えた底部ガイド部材と、該底部ガイド面の横方向両端から夫々立ち上げられ、且つ着脱自在に構成されて挿入される該紙幣の両端縁をガイドする側部ガイド部材と、を有し、
前記正逆搬送機構は、前記両側部ガイド部材の対向面間の間隔よりも広い搬送幅を備え、
前記側部ガイド部材は、下部材と上部材とから構成され、
前記各側部ガイド部材には夫々前記正逆搬送機構により逆搬送されてくる逆搬送紙幣の位置がずれている場合に該逆搬送紙幣の横方向端縁を受け入れる受入れ口と前記底部ガイド面よりも上方にて開口する排出口とを備えた逆搬送紙幣ガイド溝が、前記下部材の上面と前記上部材の下面との間のギャップにより形成されていることを特徴とする紙幣ガイド装置。
【請求項５】
請求項４に係る紙幣ガイド装置と、その紙幣搬送方向下流側に配置された識別装置と、を備えたことを特徴とする紙幣処理装置。
【請求項６】
請求項５に記載の紙幣処理装置を備えたことを特徴とする紙幣取扱装置。
【発明の詳細な説明】
【技術分野】
【０００１】
本発明は各種自動販売機、入出金装置、両替機等の紙幣取扱装置に装備される紙幣処理装置を構成する紙幣ガイド装置の改良に関し、特に多金種処理用の紙幣処理装置において発生し易いリジェクト紙幣の紙幣挿入口でのジャムを効果的に防止することができる紙幣ガイド皿、紙幣ガイド装置、紙幣処理装置及び紙幣取扱装置に関する。
【背景技術】
【０００２】
各種自動販売機、入出金装置、両替機等の紙幣取扱装置は、利用者によって紙幣挿入口から挿入された紙幣を引き込んで装置内部に搬送する過程でその紙幣長、真贋、金種を判定し、正規の紙幣である場合にはこれを受入れて更に奥部に配置された紙幣収納部に収納したり、釣銭や返却金銭を払い出す紙幣処理装置と、利用者が操作するための操作スイッチ類、ディスプレイを備えた操作ボードと、利用者との間の取引が成立した場合に物品やサービスの提供を行う物品等提供部と、を備える。紙幣処理装置は、挿入された紙幣が正規の長さを有していない場合や、偽札である場合には、これをリジェクトして紙幣挿入口から返却する。
【０００３】
図７及び図８は従来の紙幣挿入機構を備えた紙幣処理装置の構成と欠点を説明するための説明図である。
紙幣処理装置１００は、自動販売機等の紙幣取扱装置に装備される。
図７（ａ）（ｂ）に示すように、紙幣処理装置１００の正面には紙幣挿入口１０１が配置されており、紙幣挿入口１０１の直下の装置外面からは紙幣ガイド皿１０２が突設されている。紙幣挿入口１０１から装置内部に続く紙幣搬送経路には、挿入検知センサ１０３、ソレノイドにより駆動されるシャッター１０４、ローラ対（搬送部材）１０５、搬送ベルト（搬送部材）１０６、長さ検知センサ１０７が順次配置されている。更に、長さ検知センサ１０７の奥部には紙幣の真贋、金種等を判別する図示しない識別装置が配置され、識別装置の奥部には図示しない紙幣収納部が配置されている。
図７（ａ）に示すように紙幣Ｓが紙幣挿入口１０１から挿入された場合には、挿入検知センサ１０３が紙幣先端を検知することによって図示しない制御部はソレノイドを駆動してシャッター１０４を開放し、更にモータを駆動してローラ対１０５、搬送ベルト１０６を回転させることにより紙幣を内部に搬送開始する。長さ検知センサ１０７は紙幣先端が進入してから後端が通過するまでの時間（パルス数）に基づいて紙幣の長さを判定し、正規の長さを有する場合には制御部は搬送ベルト１０６を順方向へ駆動して当該紙幣を識別装置に搬送する。一方、正規でない紙幣Ｓ、その他の紙葉類が挿入されることにより、正規の長さよりも短尺であることが長さ検知センサ１０７により検知された場合には、制御部はこの紙幣をリジェクトするために搬送ベルト１０６及びローラ対１０５を逆転させて紙幣挿入口１０１へ返却する（図７（ｂ））。また、長さ検知センサ１０７を通過して識別装置に達した紙幣であっても真贋、金種の点で受入れ条件を満たさない場合にはリジェクトされ、搬送ベルト１０６の逆回転によって紙幣導入口１０１へ戻される。
【０００４】
図８は複数国の多種類の紙幣を識別可能な識別装置を備えた多金種対応の紙幣処理装置に装備される紙幣挿入部の平面図である。
通貨を異にする複数の国の紙幣に共通使用できる識別装置を搭載した多金種対応の紙幣処理装置にあっては、幅方向寸法ｄが異なる全ての紙幣Ｓを安定して搬送できるように紙幣ガイド皿１０２よりも奥部にある搬送路１１０の幅Ｄ１は、当該紙幣処理装置が受入れ可能な最大幅の紙幣の幅寸法ｄ１に合わせて大きく（ｄ１＋α）設定してある。
そして、紙幣挿入時に紙幣を直進し易いように安定してガイドするために、紙幣ガイド皿１０２の両側壁１０２ａ間の幅寸法Ｄ２は、当該紙幣処理装置を使用する国の紙幣のうちの最大幅の紙幣に合わせて設定する。
即ち、この種の紙幣処理装置においては、紙幣ガイド皿１０２以外は共通の部材で構成しておき、国毎に最適のガイド幅を有した紙幣ガイド皿１０２を紙幣挿入口１０１に対して着脱交換するだけであるから、安価に対応国のバリエーションを広げることができる。
【０００５】
以上の構成において、紙幣ガイド皿の幅寸法Ｄ２が搬送路１１０の幅Ｄ１よりも大幅に狭い場合には、リジェクト紙幣Ｓを搬送路１１０から紙幣挿入口１０１に逆搬送する際に、スキュー等によって紙幣Ｓの逆搬送経路が少しでも横方向へずれを起こすと、紙幣後端部Ｐａが紙幣ガイド皿の側壁１０２ａにぶつかってジャムを起こす虞が高まる。
なお、一旦搬送路に挿入された紙幣が紙幣挿入口に逆搬送されるのは、紙幣がリジェクトされた場合だけではなく、業務終了時に紙幣取扱装置の金庫内に収納された紙幣を紙幣挿入口から取り出す場合も含まれる。
特許文献１、２、３には、紙幣挿入口の構造が開示されているが、このような不具合に対処するための構成は一切開示されていない。
【先行技術文献】
【特許文献】
【０００６】
【特許文献１】特開平１１−０７３５３４号公報
【特許文献２】特開２０００−１４９１２２公報
【特許文献３】特開２００２−２６００６２公報
【発明の概要】
【発明が解決しようとする課題】
【０００７】
以上のように従来の紙幣挿入機構にあっては、紙幣挿入口の幅寸法よりも奥部に設けられた搬送路の幅の方が広い場合に、一旦搬送路に搬送された紙幣がリジェクトされる等により逆搬送されるときに紙幣が紙幣ガイド皿の側壁と衝突してジャムし易くなるという問題があった。
本発明は上記に鑑みてなされたものであり、紙幣挿入口の幅寸法よりも奥部に設けられた搬送路幅の方が広い紙幣処理装置において、紙幣が挿入口へ向けて搬送路を逆搬送される場合に紙幣がスキューを起こしたとしても紙幣ガイド皿の側壁との衝突を回避させてジャムを防止することができる紙幣ガイド皿、紙幣ガイド装置、紙幣処理装置、及び紙幣取扱装置を提供することを目的としている。
【課題を解決するための手段】
【０００８】
上記目的を達成するため、請求項１の発明に係る紙幣ガイド皿は、紙幣挿入口と、該紙幣挿入口の下方において前方へ突設されて紙幣下面をガイドする紙幣ガイド皿と、該紙幣ガイド皿の下流に連設されて前記紙幣挿入口から挿入された紙幣を後方へ搬入したり前記紙幣挿入口へ逆搬送する正逆搬送機構と、を備えた紙幣ガイド装置に装備される前記紙幣ガイド皿であって、前記紙幣挿入口に挿入される紙幣の下面をガイドする底部ガイド面を備えた底部ガイド部材と、該底部ガイド面の横方向両端から夫々立ち上げられ、且つ着脱自在に構成されて挿入される該紙幣の両端縁をガイドする側部ガイド部材と、を有し、前記側部ガイド部材は、下部材と上部材とから構成され、前記各側部ガイド部材には夫々前記正逆搬送機構により逆搬送されてくる逆搬送紙幣の位置がずれている場合に該逆搬送紙幣の横方向端縁を受け入れる受入れ口と前記底部ガイド面よりも上方にて開口する排出口とを備えた逆搬送紙幣ガイド溝が、前記下部材の上面と前記上部材の下面との間のギャップにより形成されていることを特徴とする。
紙幣挿入口の幅寸法よりも奥部に設けられた搬送路幅の方が広い紙幣処理装置においては、識別装置等においてリジェクトされた紙幣等、紙幣挿入口に逆搬送される紙幣を紙幣挿入口へ向けて逆送する場合に、ガイド皿の側部立ち上げ部と紙幣とが衝突することがある。本発明では、紙幣ガイド皿の側部ガイド部材の対向面に逆搬送紙幣の端縁をガイドする逆搬送紙幣ガイド溝を設けたので、逆搬送される紙幣がスキューを起こしたとしても紙幣ガイド皿の側壁との衝突を回避させてジャム発生を防止することができる。
また、側部ガイド部材を一体成形品としてもよいが、下部材と上部材とから構成することにより、製造が容易となる。
【０００９】
請求項２の発明は、前記底部ガイド部材に対して前記各側部ガイド部材を着脱自在に構成し、該側部ガイド部材を交換することにより、前記各側部ガイド部材の対向面間の間隔を調整可能に構成したことを特徴とする。
紙幣処理装置を複数の国、地域の紙幣を共通して適用可能な構成とするためには、側部ガイド部材間の間隔を紙幣幅に応じて変更することが有効である。
請求項３の発明は、前記底部ガイド面の幅方向両側縁に沿って夫々装着凹所を設け、該各装着凹所内に前記各側部ガイド部材の底部を嵌合させることにより、該各側部ガイド部材を位置決めしたことを特徴とする。
底部ガイド部材と側部ガイド部材を別部材とした場合には、底部ガイド部材側に設けた装着凹所内に側部ガイド部材を嵌合配置することにより位置決めが容易となる。
【００１０】
請求項４の発明は、紙幣挿入口と、該紙幣挿入口の下方において前方へ突設されて紙幣をガイドする紙幣ガイド皿と、該紙幣ガイド皿の下流に連設されて前記紙幣挿入口から挿入された紙幣を後方へ搬入したり前記紙幣挿入口へ逆搬送する正逆搬送機構と、を備えた紙幣ガイド装置であって、前記紙幣ガイド皿は、前記紙幣挿入口に挿入される紙幣の下面をガイドする底部ガイド面を備えた底部ガイド部材と、該底部ガイド面の横方向両端から夫々立ち上げられ、且つ着脱自在に構成されて挿入される該紙幣の両端縁をガイドする側部ガイド部材と、を有し、前記正逆搬送機構は、前記両側部ガイド部材の対向面間の間隔よりも広い搬送幅を備え、前記側部ガイド部材は、下部材と上部材とから構成され、前記各側部ガイド部材には夫々前記正逆搬送機構により逆搬送されてくる逆搬送紙幣の位置がずれている場合に該逆搬送紙幣の横方向端縁を受け入れる受入れ口と前記底部ガイド面よりも上方にて開口する排出口とを備えた逆搬送紙幣ガイド溝が、前記下部材の上面と前記上部材の下面との間のギャップにより形成されていることを特徴とする。
請求項５の発明に係る紙幣処理装置は、請求項４に係る紙幣ガイド装置と、その紙幣搬送方向下流側に配置された識別装置と、を備えたことを特徴とする。  
請求項６の発明に係る紙幣取扱装置は、請求項５に記載の紙幣処理装置を備えたことを特徴とする。
【発明の効果】
【００１１】
本発明によれば、紙幣挿入口の幅寸法よりも奥部に設けられた搬送路幅の方が広い紙幣処理装置において、紙幣ガイド皿の対向する側面にリジェクト紙幣等の逆搬送されてくる端縁をガイドする逆搬送紙幣ガイド溝を設けたので、紙幣が挿入口へ向けて搬送路を逆搬送される場合に紙幣がスキューを起こしたとしても紙幣ガイド皿の側壁との衝突を回避させてジャム発生を防止することができる。
【図面の簡単な説明】
【００１２】
【図１】本発明の一実施形態に係る紙幣ガイド装置を備えた紙幣処理装置を有した紙幣取扱装置（自動券売機）の外観を示す斜視図である。
【図２】（ａ）及び（ｂ）は紙幣取扱装置の正面図及びＡ−Ａ断面図である。
【図３】紙幣処理装置の側部縦断面図である。
【図４】（ａ）（ｂ）及び（ｃ）は紙幣ガイド皿の正面図、側面図、及び平面図である。
【図５】（ａ）及び（ｂ）は紙幣ガイド皿と紙幣搬送経路との関係を示す平面図である。
【図６】紙幣ガイド皿の分解斜視図である。
【図７】（ａ）及び（ｂ）は従来例に係る紙幣ガイド装置の正面斜視図、及び側部縦断面図である。
【図８】幅方向寸法が異なる多種類の紙幣を受け入れ可能な多金種対応の紙幣処理装置に装備される紙幣挿入部の平面図である。
【発明を実施するための形態】
【００１３】
以下、添付図面に示した実施の形態に基づいて本発明を詳細に説明する。
図１は本発明の一実施形態に係る紙幣ガイド装置を備えた紙幣処理装置を有した紙幣取扱装置（自動券売機）の外観を示す斜視図であり、図２（ａ）及び（ｂ）は紙幣取扱装置の正面図及びＡ−Ａ断面図であり、図３は紙幣処理装置の側部縦断面図であり、図４（ａ）（ｂ）及び（ｃ）は紙幣ガイド皿の正面図、側面図、及び平面図であり、図５（ａ）及び（ｂ）は紙幣ガイド皿と紙幣搬送経路との関係を示す平面図であり、図６は紙幣ガイド皿の分解斜視図である。
紙幣処理装置２は、例えば食券等の自動販売機（紙幣取扱装置）１に装備されて紙幣の受け入れ処理、釣銭等としての紙幣の払い出し処理、リジェクト紙幣（逆搬送紙幣）の返却処理等を行う機能を有する。なお、紙幣が紙幣挿入口に逆搬送されるのは、リジェクトされた場合のみならず、終業時に紙幣取扱装置の金庫内に収容された紙幣を回収するために紙幣挿入口から取り出す際にも逆搬送されるが、以下の実施形態の説明ではリジェクト紙幣を中心に説明する。
紙幣処理装置２は、紙幣取扱装置本体３の前面に設けられた紙幣挿入口（紙幣挿入部）２１と、紙幣挿入口２１に対して着脱自在に装着される紙幣ガイド皿３０と、紙幣挿入口２１から挿入され紙幣ガイド皿３０によって案内されてきた紙幣Ｓを紙幣搬送経路Ｐに沿って装置本体内部に搬送したり紙幣挿入口へ向けて逆搬送するローラ対１２ａ、及び搬送ベルト１２ｂ等の搬送部材（正逆搬送機構）１２と、紙幣搬送経路Ｐ上に沿って搬送されてきた紙幣の真贋、金種を判定するための図示しないセンサ群からなる識別装置２６と、を備えている。紙幣挿入口２１、紙幣ガイド皿３０と、搬送部材（正逆搬送機構）１２は、紙幣ガイド装置（イ）を構成している。
【００１４】
紙幣挿入口２１は、紙幣挿入口２１の下方において前方へ突設されて紙幣をガイドする紙幣ガイド皿３０との協働により挿入される紙幣を紙幣搬送経路Ｐに導く。即ち、紙幣ガイド皿３０は、挿入された紙幣の下面をガイドする底部ガイド面３１ａを上面に有した底部ガイド部材３１と、底部ガイド面３１ａの横方向両端から夫々立ち上げられて挿入される紙幣の両端縁をガイドする側部ガイド面３５ａを内側面に有した側部ガイド部材３５、３５と、を有する。紙幣ガイド皿３０は、利用者により紙幣挿入口に挿入された紙幣の底面を底部ガイド面３１ａによってガイドし、且つ紙幣の幅方向両端縁を両側部ガイド面３５ａによってガイドすることによってスムーズな挿入を可能にしている。
これを更に詳述すると、装置本体３の正面には紙幣挿入口２１が配置されており、紙幣挿入口２１の直下の装置本体外面からは紙幣ガイド皿３０が突設されている。紙幣挿入口２１から装置本体内部に続く紙幣搬送経路Ｐには、挿入検知センサ２２、ソレノイドにより駆動されるシャッター２３、ローラ対（搬送部材）１２ａ、搬送ベルト（搬送部材）１２ｂ、長さ検知センサ２５が順次配置されている。更に、長さ検知センサ２５の奥部には紙幣の真贋、金種等を判別する識別装置２６が配置され、識別装置の奥部には図示しない紙幣収納部が配置されている。
【００１５】
紙幣Ｓが紙幣挿入口２１から挿入された場合には、挿入検知センサ２２が紙幣先端を検知することによって図示しない制御部はソレノイドを駆動してシャッター２３を開放し、更にモータを駆動してローラ対１２ａ、搬送ベルト１２ｂを回転させることにより紙幣を内部に搬送開始する。長さ検知センサ２５は紙幣先端が進入してから後端が通過するまでの時間（パルス数）に基づいて紙幣の長さを判定し、正規の長さを有する場合には制御部は搬送ベルト１２ｂを順方向へ駆動して当該紙幣を識別装置２６に搬送する。一方、規定寸法よりも短尺な紙幣Ｓ、その他の紙葉類、カード等が挿入されることにより、正規の長さよりも短尺であることが長さ検知センサ２５により検知された場合には、制御部はこの紙幣をリジェクトするために搬送ベルト１２ｂ及びローラ対１２ａを逆転させて紙幣挿入口２１へ返却する。
また、識別装置２６において紙幣の真贋、金種を判別した結果、リジェクトすべき紙幣であると判定した場合にも、制御部はこの紙幣をリジェクトするために搬送ベルト１２ｂ及びローラ対１２ａを逆転させて紙幣挿入口２１へ返却する。
【００１６】
ところで、この種の紙幣処理装置２が通貨を異にする複数の国（地域）の紙幣に共通使用できる識別装置２６を搭載した多金種対応型である場合には、図５（ａ）に示すように幅方向寸法（横方向寸法）ｄが異なる全ての紙幣Ｓを安定して搬送できるように、紙幣ガイド皿よりも奥にある紙幣搬送経路Ｐ（正逆搬送機構１２）の幅Ｄ１を当該紙幣処理装置が受入れ可能な最大幅の紙幣の幅寸法ｄ１に合わせて大きく（ｄ１＋α、αはマージン分）設定してある。一方、紙幣ガイド皿３０の両側部ガイド面３５ａ間の幅寸法Ｄ２は、紙幣挿入時に紙幣を直進させ易いように当該紙幣処理装置を使用する国の紙幣のうちの最大幅の紙幣に合わせて設定することとなる。
従って、従来の紙幣処理装置における紙幣ガイド皿は、紙幣処理装置を使用する国の紙幣の幅寸法に適合したものを装着して出荷する必要がある。このため、紙幣ガイド皿は装置本体３に対して着脱交換可能に構成されている。
【００１７】
上述のように紙幣搬送経路Ｐの幅Ｄ１よりも紙幣ガイド皿の両側部ガイド面３５ａ間の幅寸法Ｄ２が小さい場合には、背景技術において説明したようにリジェクトされた結果として逆搬送される紙幣の先端角部が側部ガイド部材３５と衝突してジャムを起こす虞が高くなる。
これに対して本発明の紙幣ガイド皿３０は、各側部ガイド部材の対向面３５ａに夫々搬送部材１２により逆搬送されてくるリジェクト紙幣Ｓの横方向（幅方向）両端縁を受け入れる受入れ口３６ａと底部ガイド面よりも上方にて開口する排出口３６ｂとを備えた逆搬送紙幣ガイド溝３６が形成されている（図２（ｂ）等を参照）。
【００１８】
図５（ａ）中に実線で示すように紙幣挿入口２１に向けて逆搬送されてくるリジェクト紙幣（逆搬送紙幣）Ｓ１が幅方向へスキュー（偏位）していない場合には挿入時と同様に底部ガイド面３１ａ上に紙幣下面をガイドされ、且つ幅方向両端縁を両側部ガイド面３５ａによってガイドされながらスムーズに紙幣挿入口２１から外部へ排出される。一方、図５（ａ）中に鎖線で示すようにリジェクト紙幣Ｓ２が一方の幅方向へ変位した状態で逆搬送される場合には、リジェクト紙幣Ｓ２の先端縁の一方が対応する側部ガイド面３５ａに設けた逆搬送紙幣ガイド溝３６の受入れ口３６ａに入り込んで（図２（ｂ）、図５（ｂ））逆搬送紙幣ガイド溝３６内を紙幣挿入口へ向けて移動し排出口３６ｂからスムーズに排出される。このため、リジェクト紙幣は側部ガイド部材３５の後端面と衝突することなくスムーズに紙幣挿入口から外部へ排出される。
【００１９】
逆搬送紙幣ガイド溝３６の後半部３６Ａ及び排出口３６ｂが底部ガイド面３１ａよりも上方に位置しているのは、底部ガイド面と同等の高さに逆搬送紙幣ガイド溝３６の後半部３６Ａ及び排出口３６ｂが位置している場合には、紙幣挿入口２１から底部ガイド面に沿って新たに挿入される紙幣の幅方向端縁が逆搬送紙幣ガイド溝３６に入り込んでしまい、挿入される紙幣の幅方向位置を側部ガイド面３５ａによって規制することができなくなるからである。
なお、図６に示すように紙幣ガイド皿３０を、底部ガイド部材３１と、外部ガイド部材に対して着脱交換可能な一対の側部ガイド部材３５とから構成してもよい。
即ち、底部ガイド部材３１は底部ガイド３１ａの両側方に夫々装着凹所３７を有しており、本例では、側部ガイド部材３５を、下部材４０と、上部材４５とから構成し、各装着凹所３７内に側部ガイド部材３５の下部材４０の底部を嵌合させ図示しない螺子で固定する。各装着凹所３７の底面には階段状の段差部３７ａを形成し、側部ガイド部材３５の下部材４０の底部にはこの段差部３７ａと整合する階段状の段差部３５ｂを形成して、装着凹所３７内における側部ガイド部材３５の位置決め安定性を高めている。
各側部ガイド部材３５を各装着凹所３７内に夫々嵌合配置したときに、対向面である側部ガイド面３５ａ間の間隔が調整可能となるように、側部ガイド面３５ａの位置が異なる側部ガイド部材を複数種類用意しておく。即ち、各側部ガイド部材３５を各装着凹所３７内に嵌合配置したときに、対向面である側部ガイド面３５ａ間の間隔が挿通される紙幣にとって最適の間隔となるように、当該紙幣の幅寸法に見合うように予め製造した側部ガイド部材を選択して組み付ける。
【００２０】
また、下部材４０の上面４０ａを上部材４５の下面内側４５ａと対向させた状態で螺子５０を上部材４５に設けた穴４５ｂと底部ガイド部材３１側に設けた螺子穴５１に螺着することによって、下部材４０上に上部材４５を固定する。この際、下部材の上面４０ａと上部材の下面内側４５ａとの間にはギャップが形成されており、このギャップが逆搬送紙幣ガイド溝３６となる。なお、符号６０は底部ガイド面３１ａの上方に所定のギャップを隔てて固定されて紙幣挿入口２１を形成する天板部材であり、２つの側部ガイド部材３５の上面に跨って配置された状態で装置本体３に固定される。
側部ガイド部材を一体成形品としてもよいが、下部材と上部材とから構成することにより、製造が容易となる。
【００２１】
このように紙幣ガイド皿３０を、装置本体３に対して着脱自在に固定される底部ガイド部材３１と、底部ガイド部材に対して着脱自在な側部ガイド部材３５とから構成したので、紙幣処理装置２が使用される国の通貨である紙幣の幅方向サイズに応じて側部ガイド部材３５だけを交換することができ、側部ガイド部材３５の対向面間隔を紙幣に応じて変更、調整することができる。底部ガイド部材３１を共通使用できるので、経済的である。
なお、上記実施形態では紙幣の短い辺を先頭にして搬送する縦搬送を例として説明したが、紙幣の長い辺を先頭にして搬送する横搬送の場合にも本発明を適用することができる。従って、本発明において幅方向とは短手方向を意味せず、紙幣挿入方向と直交する方向（横方向）を意味する。
また、本実施形態においては、一旦挿入された紙幣がリジェクトされる場面を例として説明したが、本発明はこれに限るものではなく、例えば後段の紙幣収納庫から売り上げ金を回収するため、紙幣を逆搬送して紙幣挿入口から紙幣を取り出すといった場面でも効果を奏することはいうまでもない。
なお、本発明に係る紙幣ガイド皿３０を備えた紙幣処理装置２は、各種自動販売機、入出金装置、両替機等の紙幣取扱装置一般に適用することができる。
【符号の説明】
【００２２】
１…自動販売機（紙幣取扱装置）、２…紙幣処理装置、３…紙幣取扱装置本体、１２…搬送部材（正逆搬送機構）、１２ａ…ローラ対、１２ｂ…搬送ベルト、２１…紙幣挿入口、２２…挿入検知センサ、２３…シャッター、２５…検知センサ、２６…識別装置、３０…紙幣ガイド皿、３１…底部ガイド部材、３１ａ…底部ガイド面、３５…側部ガイド部材、３５ａ…側部ガイド面、３５ａ…対向面、３５ｂ…段差部、３６…逆搬送紙幣ガイド溝、３６Ａ…後半部、３６ｂ…排出口、３７…装着凹所、３７ａ…段差部、４０…下部材、４０ａ…上面、４５…上部材、４５ａ…下面内側、４５ｂ…穴、５０…螺子、５１…螺子穴
【図１】
0005555916.tif 000002
【図２】
0005555916.tif 000003
【図３】
0005555916.tif 000004
【図４】
0005555916.tif 000005
【図５】
0005555916.tif 000006
【図６】
0005555916.tif 000007
【図７】
0005555916.tif 000008
【図８】
0005555916.tif 000009